(57)【特許請求の範囲】
【請求項１】
インペラと、前記インペラを回転させるモータと、前記インペラからの気流を外周方向に案内するエアガイドと、前記インペラ及びエアガイドを収容するファン室とを備え、前記ファン室の側面壁には前記インペラからの気流を排出する側面孔を設け、前記エアガイドは前記インペラからの気流を整流して側面孔より排出させる平板部とこの平板部より内側の前記インペラ外周縁と対向する箇所に環状の溝を有するとともに、当該環状の溝からその外周側に放射状に延びる放射状溝を設けた電動送風機。
【発明の詳細な説明】
【０００１】
【発明の属する技術分野】
本発明は、濡れた手を風の力により乾かす手乾燥装置等に用いられる電動送風機に関するものである。
【０００２】
【従来の技術】
従来このような装置には様々な電動送風機が用いられているがその中で代表的なものとして図４に示すような構成の電動送風機がある。ファンケース１は、モータ４のモーターフレーム５に取り付けられ、ファン室を形成している。ファン室内には、インペラ２，エアガイド３等を設けている。このケーシング１の側面壁には側面孔６が多数開けられている。インペラ２の下方から外周側にかけて設けたエアガイド３は、インペラ２の外周縁から外側に向けて半径方向に拡がる平面部７が設けてあり、平面部７の外周方向にファンケース１の側面孔６が配され、側面孔６を通してファンケース１の内外がつながっている。
【０００３】
この構成に於いて、インペラ２は、モータ４により高速で回転させられて、気流を発生し、その気流をインペラ２の外周に位置するエアガイド３の平面部７を介してケーシング１の側面孔６から排出して、乾燥等に寄与させていた。
【０００４】
【発明が解決しようとする課題】
前記従来の電動送風機では、エアガイド３の平面部７の上面をインペラ２からの気流が高速で通過していく。この時エアガイド３のインペラ２の下部に当たる空間部８は、高速流によるエゼクタの効果により、圧力が低下し、渦となり、インペラ２の回転に抵抗を与えるように作用し、電動送風機としては効率の低下をきたすという課題を有している。
【０００５】
本発明は、上記課題を解決するもので、送風効率を向上させた電動送風機を提供することを目的としている。
【０００６】
【課題を解決するための手段】
上記目的を達成するために本発明は、インペラの外周縁と対向する箇所に環状の溝を設け、その溝の中でインペラの下部空間で生じる、エゼクタによる渦を吸収して、インペラに対する抵抗を無くするものである。
【０００７】
【発明の実施の形態】
本発明の請求項１記載の発明は、インペラと、前記インペラを回転させるモータと、前記インペラからの気流を外周方向に案内するエアガイドと、前記インペラ及びエアガイドを収容するファン室とを備え、前記ファン室の側面壁には前記インペラからの気流を排出する側面孔を設け、前記エアガイドは前記インペラからの気流を整流して側面孔より排出させる平板部とこの平板部より内側の前記インペラ外周縁と対向する箇所に環状の溝を有するとともに、当該環状の溝からその外周側に放射状に延びる放射状溝を設けたもので、この構成によれば、インペラの下部空間で発生していた渦を環状の溝の中だけとすることができ、さらにその渦を放射状の溝まで広げることができるので、インペラの下部空間で生じる渦の発生をくい止めインペラの回転に対する制動効果の減少が図れ、インペラの回転時の損失を低減でき、送風効率を向上させるものである。
【０００８】
【実施例】
（実施例１）
以下、本発明の第１の実施例を図１により説明する。図において、８はインペラで、９はファンケースであり、その中央には吸い込み口１０が設けてあり、その側面壁には側面孔１１が複数個設けられている。１２はエアガイドであり、前記インペラ８の外周からの吐出気流を側面孔１１側に案内する平板部１３を設けると共に、前記インペラの外周縁の下部には、リング状の溝１４が設けられている。ファンケース９はモータ１５のモータフレーム１６に隙間無く取り付けられ、インペラ８及びエアガイド１２を収容するファン室を構成している。
【０００９】
以下上記構成における、本実施例の動作について説明する。モータ１５の回転により、インペラ８が回転し風を発生させ、ファンケース９の吸い込み口１０からインペラ８内部を通過して、エアガイド１２の平板部１３で整流された後、ファンケース９の側面孔１１を通って外部へと排出される。この時、気流の勢いによるエゼクタ効果により、インペラの下部空間１７にある気流は外部に向けて吸い出されようとするのであるが空気の供給がないので空間部１７で渦になろうとする。しかし、リング状溝１４の効果で、渦は溝１４の中のみで出来ることとなり、空間部１７全体には拡がらない。これにより、インペラ８の回転には支障が無くなり、効率の低下を避けることが可能となる。
【００１０】
（実施例２）
本発明の第２の実施例を図２及び図３により説明する。図において、３９はインペラで、４０はファンケースであり、その中央には吸い込み口４１が設けてあり、その側面壁には側面孔４２が複数個設けられている。４３はエアガイドであり、前記インペラ３９の外周から吐出される気流を側面孔４２に案内する平板部４４を設けると共に、インペラ３９の下部で平板部４４の内側にリング状の溝４５を設け、更に平板部４４には前記の溝４５に続いてその溝４５より外周側に放射状に延びる放射溝４６が設けられている。
【００１１】
以下上記構成における、本実施例の動作について説明する。インペラ３９の回転により風が発生し、ファンケース４０の吸い込み口４１からインペラ３９の内部を通過して、エアガイド４３の平板部４４で整流された後、ファンケース４０の側面孔４２を通って外部へと排出される。この時、気流の勢いによるエゼクタ効果により、インペラの下部空間４７にある気流は外部に向けて吸い出されようとするのであるが、空気の供給がないので空間部４７で渦になろうとする。しかし、リング状溝４５の効果で、渦はリング状溝４５の中から放射状溝４６へと拡がって流れていくこととなり、空間部４７の方には拡がらない。これにより、インペラ３９の回転には支障が無くなり、効率の低下を避けることが可能となる。
【００１２】
【発明の効果】
上記実施例から明らかなように、請求項１記載の発明によれば、インペラの外周縁と対向する箇所に環状の溝を有するとともに、当該環状の溝からその外周側に放射状に延びる放射状溝を設けたことにより、インペラの下部空間で発生していた渦を環状の溝の中だけとすることができ、さらにその渦を放射状の溝まで広げることができるので、インペラの下部空間で生じる渦の発生をくい止めインペラの回転に対する制動効果の減少が図れ、インペラの回転時の損失を低減でき、低コストで送風効率の高い電動送風機を得ることができる。
【図面の簡単な説明】
【図１】本発明の第１の実施例を示す電動送風機の一部破断側面図
【図２】本発明の第２の実施例を示す電動送風機の要部断面図
【図３】同電動送風機の平面断面図
【図４】従来の電動送風機の一部破断側面図
【符号の説明】
８，３９  インペラ
１５  モータ
１２，４３  エアガイド
９，４０  ファンケース
１１，４２  側面孔
１４，４５  リング状溝
４６  放射状溝
【図１】
0003617262.tif 000002
【図２】
0003617262.tif 000003
【図３】
0003617262.tif 000004
【図４】
0003617262.tif 000005